(57)【要約】【課題】  本発明は、磁力を利用した簡易な方法および装置により、磁性棒状品の長手方向を互いに平行に整列させる磁性棒状品の整列方法および整列装置を提供する。【解決手段】  本発明の整列方法は、ほぼ平行な磁力線を形成する磁界内に磁性棒状品を供給して長手方向を磁力線方向に揃え、そのまま回収して長手方向を互いに平行に整列させる磁性棒状品の整列方法である。また、本発明の整列装置は、ほぼ平行な磁力線を形成する磁界発生手段と、磁界内に供給された磁性棒状品を収容し、磁性棒状品の最大寸法よりも大きい収容幅を有し、収容幅方向が磁力線方向に対してほぼ平行となるように配置される非磁性容器とを具備する。そして、磁界内に配置した非磁性容器内に磁性棒状品を供給して長手方向を磁力線方向に揃え、そのまま回収して長手方向を互いに平行に整列させる磁性棒状品の整列装置である。【選択図】  図１
2007076901.tif 000002
【特許請求の範囲】
【請求項１】
ほぼ平行な磁力線を形成する磁界内に磁性棒状品を供給し、該磁性棒状品の長手方向を前記磁力線方向に揃えた後、長手方向を揃えたまま前記磁性棒状品を前記磁界内から回収することにより、前記磁性棒状品をその長手方向が互いに平行となるように整列させることを特徴とする磁性棒状品の整列方法。
【請求項２】
長手方向の最大寸法Ｌと該長手方向に対して垂直方向の最大寸法Ｄとの寸法比Ｌ／Ｄが１．１以上である磁性棒状品を、その長手方向が互いに平行となるように整列させることを特徴とする請求項１に記載の磁性棒状品の整列方法。
【請求項３】
磁性棒状品の長手方向が互いに平行となるように整列させる磁性棒状品の整列装置であって、ほぼ平行な磁力線を形成する磁界を発生させる磁界発生手段と、前記磁界内に供給された前記磁性棒状品を収容する非磁性容器とを具備し、前記非磁性容器は、前記磁性棒状品の最大寸法よりも大きい収容幅を有し、該収容幅方向が前記磁力線方向に対してほぼ平行となるように配置され、前記磁性棒状品を前記磁界内に配置した非磁性容器内に供給し、該非磁性容器内において前記磁性棒状品の長手方向を前記磁力線方向に揃えた後、前記磁性棒状品をその長手方向を揃えたまま前記磁界内から回収することを特徴とする磁性棒状品の整列装置。
【請求項４】
非磁性容器には該非磁性容器内を観察可能な透明部が設けられていることを特徴とする請求項３に記載の磁性棒状品の整列装置。
【請求項５】
非磁性容器は、磁界発生手段に設けられるほぼ平行に対向する二つの平面に沿って配置され、ほぼ平行に対向するように設けられる二つの非磁性面と、該二つの非磁性面の間へ磁性棒状品を供給する供給口を備え、前記磁性棒状品を前記供給口から供給し、前記磁性棒状品の長手方向を前記非磁性面の一方面にほぼ垂直に揃えた後、前記磁性棒状品をその長手方向を揃えたまま前記磁界内から回収することを特徴とする請求項３または請求項４のいずれかに記載の磁性棒状品の整列装置。
【請求項６】
ほぼ平行な磁力線を形成する磁界を発生させる磁界発生手段において、前記磁界内に配置した非磁性容器における磁性棒状品の投入口近傍の磁界強度を、前記非磁性容器における二つの非磁性面の間の磁界強度よりも小さくなるように磁力線を形成させた磁界発生手段を用い、前記磁性棒状品の長手方向を互いに平行となるように整列させることを特徴とする請求項５に記載の磁性棒状品の整列装置。
【請求項７】
非磁性容器内において磁性棒状品の長手方向を揃えた後、前記磁性棒状品をその長手方向に対してほぼ垂直方向からプッシャによって前記非磁性容器の一方側に押圧し、前記磁性棒状品を前記プッシャと前記非磁性容器の一方側とで固定して長手方向を揃えたまま回収することを特徴とする請求項３乃至請求項６のいずれかに記載の磁性棒状品の整列装置。
【請求項８】
非磁性容器内において磁性棒状品の長手方向を揃えた後、前記磁性棒状品をその長手方向に対してほぼ垂直方向から対向する二つのプッシャによって押圧し、前記磁性棒状品を前記二つのプッシャで固定して長手方向を揃えたまま回収することを特徴とする請求項３乃至請求項６のいずれかに記載の磁性棒状品の整列装置。
【発明の詳細な説明】
【技術分野】
【０００１】
本発明は、磁性体からなる磁性棒状品をその長手方向が互いに平行となるように整列させる磁性棒状品の整列方法および磁性棒状品の整列装置に関する。
【背景技術】
【０００２】
従来、磁性体からなる線材や棒材を切断機で切断して得られた磁性棒状品を後工程に搬送供給する場合には、後工程等での取扱いを容易にするため、パーツフィーダ等で個別に搬送供給するか、あるいは、複数個の磁性棒状品を一旦整列させた後にまとめて搬送供給することが専らである。
そして、複数個の磁性棒状品を整列させる方法としては、磁性棒状品を整列させる整列板や整列箱に手作業で個別に並べていく方法が採用されることも多い。また、例えば特許文献１が開示する端子等の部品の整列方法のように、多数の孔を設けた整列板の底部側から磁石を働かせることで、端子等の部品を磁力により整列板の孔に挿入して整列させる方法が提案されている。
また、磁力を利用して部品を所要の特定方向に揃えて整列させる方法としては、例えば特許文献２が開示する電池の箱詰め方法のように、多数の電池を磁石でコンベアベルトを介して一括に吊り下げた状態で整列させた後、磁石を離間させ、電池を収納箱中に一括に落下させて収納する方法が提案されている。特許文献２は、多数の電池を所要の特定方向に揃えて一括に整列させることができる点で優れている。
【０００３】
【特許文献１】特開昭５７−１４２０００号公報
【特許文献２】特開平９−７３８８８号公報
【発明の開示】
【発明が解決しようとする課題】
【０００４】
上述の手作業により磁性棒状品を整列させる方法は簡易な整列方法ではあるが、整列作業としては作業者への依存度が極めて大きく、信頼性や生産効率の点で改善が望まれている。また、上述の特許文献１のような整列方法は、磁力を利用することで手作業よりも生産効率は改善されるものの、端子等の部品を整列板に設けた孔に磁力で引き付けて挿入するとき、端子等の部品が所要の特定方向に揃わないことがあった。
【０００５】
本発明者は、磁性棒状品をその長手方向が互いに平行となるように整列させることを検討し、上述の特許文献２のような整列方法により、つまり、樹脂板を準備し、この樹脂板の一方面の側に永久磁石を配置し、他方面の側に磁性棒状品を供給し、磁性棒状品の長手方向を樹脂板に垂直に吊り下げて整列させることを試みた。
しかしながら、樹脂板上に供給された磁性棒状品は、その長手方向を樹脂板に垂直に吊り下げられるものもあったが、吊り下げられた磁性棒状品を起点として他の磁性棒状品が鎖状に連なってしまうことや、磁性棒状品が樹脂板に対して垂直にならずに平行になって吸着されてしまうことがあった。
【０００６】
本発明の目的は、磁力を利用した簡易な方法および装置により、磁性棒状品をその長手方向が互いに平行となるように整列させる磁性棒状品の整列方法および整列装置を提供することである。
【課題を解決するための手段】
【０００７】
本発明者は、磁力を利用して磁性棒状品の長手方向を揃えることを検討し、ほぼ平行な磁力線を形成する磁界内に磁性棒状品を供給することにより、磁性棒状品の長手方向を磁力線方向に揃えることができることを見出し本発明に到達した。
すなわち本発明の整列方法は、ほぼ平行な磁力線を形成する磁界内に磁性棒状品を供給し、該磁性棒状品の長手方向を前記磁力線方向に揃えた後、長手方向を揃えたまま前記磁性棒状品を前記磁界内から回収することにより、前記磁性棒状品をその長手方向が互いに平行となるように整列させる磁性棒状品の整列方法である。
【０００８】
本発明の整列方法は、長手方向の最大寸法Ｌと該長手方向に対して垂直方向の最大寸法Ｄとの寸法比Ｌ／Ｄが１．１以上である磁性棒状品に対して適用することが好ましい。
【０００９】
また、本発明の整列装置は、磁性棒状品の長手方向が互いに平行となるように整列させる磁性棒状品の整列装置であって、ほぼ平行な磁力線を形成する磁界を発生させる磁界発生手段と、前記磁界内に供給された前記磁性棒状品を収容する非磁性容器とを具備し、前記非磁性容器は、前記磁性棒状品の最大寸法よりも大きい収容幅を有し、該収容幅方向が前記磁力線方向に対してほぼ平行となるように配置され、前記磁性棒状品を前記磁界内に配置した非磁性容器内に供給し、該非磁性容器内において前記磁性棒状品の長手方向を前記磁力線方向に揃えた後、前記磁性棒状品をその長手方向を揃えたまま前記磁界内から回収する磁性棒状品の整列装置である。
【００１０】
本発明の整列装置においては、非磁性容器は、磁界発生手段に設けられるほぼ平行に対向する二つの平面に沿って配置され、ほぼ平行に対向するように設けられる二つの非磁性面と、該二つの非磁性面の間へ磁性棒状品を供給する供給口を備え、前記磁性棒状品を前記供給口から供給し、前記磁性棒状品の長手方向を前記非磁性面の一方面にほぼ垂直に揃えた後、前記磁性棒状品をその長手方向を揃えたまま前記磁界内から回収する磁性棒状品の整列装置とすることができる。
【００１１】
また、本発明の整列装置においては、ほぼ平行な磁力線を形成する磁界を発生させる磁界発生手段において、前記磁界内に配置した非磁性容器における磁性棒状品の投入口近傍の磁界強度を、前記非磁性容器における二つの非磁性面の間の磁界強度よりも小さくなるように磁力線を形成させた磁界発生手段を用い、前記磁性棒状品の長手方向を互いに平行となるように整列させる磁性棒状品の整列装置とすることができる。
【００１２】
さらに、本発明の整列装置においては、非磁性容器内において磁性棒状品の長手方向を揃えた後、前記磁性棒状品をその長手方向に対してほぼ垂直方向からプッシャによって前記非磁性容器の一方側に押圧し、前記磁性棒状品を前記プッシャと前記非磁性容器の一方側とで固定して長手方向を揃えたまま回収する磁性棒状品の整列装置とすることができる。
【００１３】
あるいは、非磁性容器内において磁性棒状品の長手方向を揃えた後、前記磁性棒状品をその長手方向に対してほぼ垂直方向から対向する二つのプッシャによって押圧し、前記磁性棒状品を前記二つのプッシャで固定して長手方向を揃えたまま回収する磁性棒状品の整列装置とすることができる。
【００１４】
そして、本発明の整列装置における非磁性容器には、該非磁性容器内を観察可能な透明部を設けることができる。
【発明の効果】
【００１５】
本発明によれば、磁性棒状品をその長手方向が互いに平行となるように整列させることが極めて容易にできる。そして、磁性棒状品をその長手方向を揃えたまま回収することができる。本発明を例えば磁性棒状品の検査、結束や梱包等における整列作業に適用することにより、整列作業の信頼性向上とともに省人や工数低減にも寄与でき、生産効率を大きく改善できる。
【発明を実施するための最良の形態】
【００１６】
上述したように、本発明の磁性棒状品の整列方法における重要な特徴は、ほぼ平行な磁力線を形成する磁界内に磁性棒状品を供給することにより、磁性棒状品の長手方向を磁力線方向に揃えることである。
ほぼ平行な磁力線を形成させた磁界内に磁性棒状品を任意の姿勢で供給すると、磁性棒状品に対して磁力が作用し、磁性棒状品は磁力線方向に吸引される。そして、磁性棒状品はその長手方向が磁力線方向に沿うように姿勢を移行する。そして終には、磁性棒状品はその長手方向が磁力線方向に平行となった姿勢で揃って静止する。このような磁性棒状品の挙動は、磁性棒状品に対して作用する外力が、磁力線が通過する磁性棒状品の断面積が最小となる姿勢で釣り合うことによると考える。
【００１７】
本発明の整列方法は、磁性棒状品の長手方向を上述のような挙動によって揃えるため、所定の特定方向を有する磁性棒状品に対して適用することが好ましい。すなわち、磁性棒状品の長手方向の最大寸法Ｌと長手方向に対して垂直方向の最大寸法Ｄとの寸法比Ｌ／Ｄが１．１以上である磁性棒状品に適用することが好ましい。
また、本発明は磁界を利用した整列方法であり、大型電磁石等の格別の磁界発生手段を用いることにより、重量のある磁性棒状品をも整列させることができる。しかしながら、本発明を適用する磁性棒状品としては、簡易な磁界発生手段によって整列し得る、直径に対応する寸法が１０ｍｍ以下、全長が３００ｍｍ以下の軽量なものに適用することが好ましい。より好ましくは、直径に対応する寸法が５ｍｍ以下、全長が１００ｍｍ以下のものである。そして、最も本発明の効果を発揮し得るのは、直径に対応する寸法が２ｍｍ以下、全長が１０ｍｍ以下の微細な磁性棒状品である。
【００１８】
また、本発明における磁性棒状品とは、磁界内で磁化し得る材料、つまり、鉄基、ニッケル基、コバルト基の合金等の強磁性体からなる丸線材、角線材、平線材等を、その長手方向に短寸に切断して得られる棒状の物品であり、その表層を例えば銅、黄銅、クロム、セラミック等からなる非磁性材料等で被覆してあってもよく、あるいは、非磁性材料からなる芯材等を内在していてもよい。
これらの磁性棒状品は、例えば電球、半導体デバイス、温度センサ、医療用具、構造用材等に用いられる軟質ガラス封着用材、サーミスタ用材、リード線材、針、骨心材、軸材、カシメピン等、多種多様な用途で使用される。
【００１９】
上述の磁性棒状品を磁界内に供給し、本発明の整列方法においては、上述のような挙動によって磁性棒状品の長手方向を磁力線方向に揃えた後、長手方向を揃えたまま磁性棒状品を磁界内から回収する。
磁性棒状品を磁界内から回収する方法としては、例えば、長手方向が揃った磁性棒状品の長手方向に対してほぼ垂直方向から押圧し、磁性棒状品の長手方向を揃えたまま集積させ、集積させた磁性棒状品をそのままの状態で取り出す等がある。このような回収方法により、磁性棒状品の長手方向が互いに平行となるように整列させたまま、磁性棒状品を磁界内から回収できる。
【００２０】
以下、上述の本発明の磁性棒状品の整列方法に基く本発明の磁性棒状品の整列装置につき、構成例を図示して説明する。
本発明の磁性棒状品の整列装置の構成例を図１に示す。また、図１に示す構成例の一部断面を含む側面図を図２に示す。なお、各図においては磁性棒状品１の個数を限定し、その整列状態を模式的に図示している。
本発明の整列装置は、ほぼ平行な磁力線を形成する磁界を発生させる磁界発生手段２と、磁界内に供給された磁性棒状品１を収容する非磁性容器３とを具備する。そして、この非磁性容器３内に磁性棒状品１を供給し、非磁性容器３内で磁性棒状品１の長手方向を磁力線（矢印１４）方向に揃えた後、磁性棒状品１をその長手方向を揃えたまま磁界内から回収する。
【００２１】
本発明の整列装置においては、磁界発生手段２により、ほぼ平行な磁力線（矢印１４）を形成する磁界を発生させる。ほぼ平行な磁力線（矢印１４）を形成させるのは、任意の姿勢で供給された磁性棒状品１の長手方向を磁力線（矢印１４）方向に吸引して揃えるためである。これにより、磁性棒状品１の長手方向を互いに平行となるように整列させることができる。
【００２２】
磁界発生手段２としては、例えばヨーク１３で連結した二つの磁石１１、１２を対向配置させる簡易な構造、つまり、磁極を互いに対向させた馬蹄形磁石のような構造により構成することができる。このような構成によれば、二つの磁石１１、１２間においてほぼ平行な磁力線（矢印１４）を形成する磁界を発生させることができる。好ましくは、二つの平面１１ａ、１２ａを具備する磁石１１、１２により、二つの平面１１ａ、１２ａが互いにほぼ平行となるように対向配置させて構成することである。このように構成することにより、磁石１１、１２の二つの平面１１ａ、１２ａ間において磁界強度をほぼ均一にすることができる。
【００２３】
また、本発明の整列装置においては、磁界内に供給された磁性棒状品１を収容するための非磁性容器３を具備する。この非磁性容器３には、容器内部を観察するための窓等の透明部２４や開口部を設けることができる。あるいは、容器自体を透明な樹脂等で作製することもできる。
本発明において、磁性棒状品１を収容するための容器を非磁性とするのは、磁界によって容器が磁化され、容器の内壁に磁性棒状品１を吸着してしまうことを防止するためである。非磁性容器３を用いることにより、磁性棒状品１は磁石１１、１２と直接に接触することがなく、磁界内からの磁性棒状品１の回収が容易になる。好ましくは非磁性材料として、例えば樹脂やプラスチック等の非金属、アルミニウムやステンレス等の非磁性金属等を使用し、非磁性容器３を形成することである。
【００２４】
また、上述の非磁性容器３は、磁性棒状品１の最大寸法よりも大きい収容幅（矢印１５）を有する。これにより、非磁性容器３内において磁性棒状品１は、非磁性容器３の内壁に突き当たる等の制限を受けることなく姿勢を移行させることができる。なお、非磁性容器３の収容幅（矢印１５）を所要以上に大きくすると、長手方向を揃えた磁性棒状品１を磁界内から回収するとき、磁性棒状品１の端部が長手方向にずれ易くなる。好ましくは非磁性容器３の収容幅（矢印１５）を磁性棒状品１の最大寸法の２倍を超えないようにすることである。これにより、磁性棒状品１が長手方向にずれても、同軸上に連なってしまうことがない。
【００２５】
そして、非磁性容器３は、磁界内において、その収容幅（矢印１５）方向が磁力線（矢印１４）方向に対してほぼ平行となるように配置される。このとき、非磁性容器３を支持したり位置決めしたりするためのスペーサ４等を設けてもよい。このように非磁性容器３を配置することにより、磁性棒状品１の長手方向を収容幅（矢印１５）方向に揃えることができる。
【００２６】
本発明の整列装置における非磁性容器３は、ほぼ平行に対向する二つの非磁性面２２、２３と、二つの非磁性面２２、２３の間へ磁性棒状品１を供給する供給口２１とを備えることができる。そして、非磁性容器３の二つの非磁性面２２、２３を、磁界発生手段１に設けられるほぼ平行に対向する二つの平面１１ａ、１２ａに沿って配置することができる。この構成により、磁性棒状品１を供給口２１から供給し、磁性棒状品１の長手方向を非磁性面２２、２３の一方面にほぼ垂直に接触させて揃えることができ、磁性棒状品１の端部を揃えたまま回収することが容易となる。
【００２７】
本発明における磁界発生手段２に関し、より好ましい構成を下記する。
磁界発生手段２においては、磁界内に配置した非磁性容器３における磁性棒状品１の供給口２１近傍の磁界強度を、非磁性容器３における二つの非磁性面２２、２３の間の磁界強度よりも小さくなるよう磁力線を形成させることが好ましい。具体的には、例えば二つの磁石１１、１２による磁界において磁石１１、１２間の距離を離すと、これに応じて磁界強度が小さくなることを利用できる。すなわち、このような磁界発生手段２としては、例えば、二つの磁石１１、１２の平面１１ａ、１２ａ間の距離に対し、磁石１１、１２の非磁性容器３の供給口２１近傍に対応する個所間の距離が大きくなるように切り欠き１１ｂ、１２ｂを設ける構造とすることが好ましい。また、磁石１１、１２の平面１１ａ、１２ａにおいては、非磁性容器３の供給口２１近傍以外の角部にも上述の切り欠き１１ｂ、１２ｂと同様な切り欠きを設けることが好ましい。
【００２８】
上述のように非磁性容器３の供給口２１近傍の磁界強度を小さくした磁界発生手段２を用いることにより、非磁性容器３内に供給された磁性棒状品１に対して磁力が作用し始める供給口２１近傍において、磁性棒状品１が急激に姿勢を移行させるようなことはなくなる。そして、磁界により磁化した磁性棒状品１が、続いて供給される磁性棒状品１と鎖状に連なることを防止できる。また、これにより、非磁性容器３内に供給する磁性棒状品１の供給速度を速めることができる。
【００２９】
また、磁界発生手段２において磁界を発生させるための上述の磁石１１、１２は、各々単体の磁石でもよいが、例えば角磁石や棒磁石等を複数配列させて上述の平面１１ａ、１２ａと同様な平面を形成させた磁石群でもよい。また、整列させる磁性棒状品１の質量や形状寸法に応じて、各種の永久磁石や電磁石あるいはヨーク等を適宜組み合せて使用することができる。
【実施例１】
【００３０】
本発明の磁性棒状品の整列装置の実施例は図１に示す構造を有する。そして、この整列装置を用いて磁性棒状品１をその長手方向が互いに平行となるように整列させる手順を説明する。
整列させる磁性棒状品１としては、磁性体であり軟質ガラス封着用金属等に使用される鉄ニッケル合金線の心材を銅層で被覆した直径（Ｄ）０．８ｍｍの線材を長さ４．８ｍｍに切断し、予め消磁したものを用いた。また、この磁性棒状品１は最大寸法（Ｌ）４．８７ｍｍ、寸法比（Ｌ／Ｄ）６．０８である。
【００３１】
図１に示す整列装置は、磁界発生手段２をほぼ平行に対向配置した二つの磁石１１、１２とヨーク１３とで構成し、二つの磁石１１、１２の間には、非磁性の透明樹脂からなる非磁性容器３を、スペーサ４を介し、その収容幅方向が二つの磁石１１、１２間方向と一致するように配置した。非磁性容器３の収容幅は、上述の磁性棒状品１の長さ４．８ｍｍよりも２．２ｍｍ大きい７ｍｍとした。また、二つの磁石１１、１２には、非磁性容器３の磁性棒状品１の供給口２１近傍に対応する個所に切り欠き１１ｂ、１２ｂを設けた。
【００３２】
非磁性容器３内への上述の磁性棒状品１の供給は、磁性棒状品１をパーツフィーダ（図示せず）により、図３（ａ）に示す非磁性の樹脂製の供給チューブ５を介して行った。このとき、磁性棒状品１が互いに接触しないように間隔をあけて個別に供給し、磁界内に供給して磁化された磁性棒状品１と続いて供給した磁性棒状品１とが鎖状に連なることを防止した。
【００３３】
非磁性容器３内に供給された磁性棒状品１は、図３（ａ）に示すように、まず磁界内で任意の姿勢で保持された。同時に、磁石１１、１２の磁力によって磁力線（矢印１４）方向に吸引され、図３（ｂ）に示すように、磁性棒状品１は長手方向を磁力線（矢印１４）方向に向かって姿勢を移行し、そして終には、図３（ｃ）に示すように、磁性棒状品１の長手方向の端部が非磁性容器３の一方の非磁性面２２に接触し、非磁性容器３の収容幅（矢印１５）方向に長手方向が沿って静止した。上述のような手順を経て、非磁性容器３内に供給した磁性棒状品１を長手方向が磁力線（矢印１４）方向に揃うように整列させることができた。
【００３４】
その後、磁界内に配置した非磁性容器３内で長手方向を揃えた磁性棒状品１をそのまま回収し、磁性棒状品１の長手方向が互いに平行となるように整列させた。磁界内からの磁性棒状品１の回収は、図４に模式的に示す回収手段によって実施した。なお、磁性棒状品１を図示するにおいては、その個数や整列状態を簡略化（ハッチング等）している。
非磁性容器３内で長手方向を揃えた磁性棒状品１に対し、図４（ａ）に示すように、その長手方向に対してほぼ垂直方向となる供給口２１側にプッシャ３１を配置した。プッシャ３１の磁性棒状品１との接触部３１ａには、非磁性材料であるゴムを貼り付け、接触部が磁化されて磁性棒状品１を吸着することを防止した。
【００３５】
次いで図４（ｂ）に示すように、このプッシャ３１により磁性棒状品１を非磁性容器３の一方側２５に押圧することにより、磁性棒状品１をその姿勢を乱すことなく集積させることができた。そして、集積させた磁性棒状品１を、プッシャ３１等非磁性容器３とで挟持して固定したまま磁石１１、１２間から非磁性容器３を取り出した。
これにより、磁性棒状品１をその長手方向を揃えたまま磁界内から回収することができ、磁性棒状品１をその長手方向が互いに平行となるように整列させることができた。
【実施例２】
【００３６】
本発明の磁性棒状品の整列装置の別の実施例を図１及び図５を用いて説明する。
整列させる磁性棒状品１は実施例１と同じものを使用した。また、用いた整列装置の構成は、図１に示す整列装置と同様なので詳細を略すが、用いた透明樹脂製の非磁性容器３の構造は図１のものとは異なる。具体的には図５に示すように、非磁性容器３の供給口２１を小さくし、供給口２１の両側をカバーした。また、非磁性容器３の磁石１１、１２と接しない両側を開口し、プッシャ３２、３３の挿入が可能となる構造とした。
【００３７】
非磁性容器３内への磁性棒状品１の供給及び供給後の磁性棒状品１の挙動は、実施例１と同様なので詳細を略すが、実施例２においても、磁性棒状品１を、長手方向が磁力線（矢印１４）方向に揃うように整列させることができた。その後、磁界内から図５に模式的に示す実施例１とは別の回収手段によって磁性棒状品１を回収した。なお、磁性棒状品１を図示するにおいては、その個数や整列状態を簡略化（ハッチング等）している。
非磁性容器３内で長手方向を揃えた磁性棒状品１に対し、図５（ａ）に示すように、磁性棒状品１の長手方向に対してほぼ垂直方向となる非磁性容器３の両側に二つのプッシャ３２、３３を対向配置させた。プッシャ３１の磁性棒状品１との接触部３２ａ、３３ａには、実施例１と同様に非磁性材料であるゴムを貼り付けた。
【００３８】
次いで図５（ｂ）に示すように、二つのプッシャ３２、３３により磁性棒状品１を押圧することにより、磁性棒状品１をその姿勢を乱すことなく集積させることができた。そして、集積させた磁性棒状品１を、プッシャ３２、３３で挟持して固定したまま磁石１１、１２間から非磁性容器３を取り出した。
これにより、磁性棒状品１をその長手方向を揃えたまま磁界内から回収することができ、磁性棒状品１をその長手方向が互いに平行となるように整列させることができた。
【図面の簡単な説明】
【００３９】
【図１】本発明の磁性棒状品の整列装置の一例を示す構成図である。
【図２】本発明の磁性棒状品の整列装置の一例の側面を示す構成図である。
【図３】磁界内における磁性棒状品の挙動例を示す模式図である。
【図４】本発明の磁性棒状品の整列装置において磁性棒状品を磁界内から回収する手段の一例を示す構成図である。
【図５】本発明の磁性棒状品の整列装置において磁性棒状品を磁界内から回収する別の手段の一例を示す構成図である。
【符号の説明】
【００４０】
１．磁性棒状品、２．磁界発生手段、３．非磁性容器、４．スペーサ、５．供給チューブ、１１．磁石、１１ａ．平面、１１ｂ．切り欠き、１２．磁石、１２ａ．平面、１２ｂ．切り欠き、１３．ヨーク、１４．磁力線、１５．収容幅、２１．供給口、２２．非磁性面、２３．非磁性面、２４．透明部、２５．一方面、３１．プッシャ、３１ａ．接触部、３２．プッシャ、３２ａ．接触部、３３．プッシャ、３３ａ．接触部
【図１】
2007076901.tif 000003
【図２】
2007076901.tif 000004
【図３】
2007076901.tif 000005
【図４】
2007076901.tif 000006
【図５】
2007076901.tif 000007